(57)【要約】【課題】操作部材が不用意に回転前進することを防止できるフロート式ドレントラップを提供する。【解決手段】本体１と蓋２で弁ケーシングを形成する。弁ケーシングに入口５と弁室４と出口７を形成する。弁室４の下部に弁座部材９を取り付ける。弁座部材９に弁室４を出口７側に連通する排出通路８を形成する。弁室４内に弁座部材９に離着座して排出通路８を開閉するフロート１１を配置する。先端側を排出通路８内に後端側を蓋２の外部に位置させた操作部材１４に操作部材１４を外部から回転進退せしめるプラグ１３を設ける。操作部材１４外周の蓋２外周に形成した雄ねじ部２ａにねじ結合できる雌ねじ部１８ａを一端に有し雄ねじ部２ａを覆うことのできる収容部１８ｂを他端に有し収容部１８ｂが雄ねじ部２ａを覆ったときにプラグ１３の被連結部１３ａに連結して操作部材１４を回転進退せしめる連結部１８ｃを一端と他端の間に有する概略筒状部材１８を設ける。【選択図】図１
2014047906.tif 000002
【特許請求の範囲】
【請求項１】
弁ケーシングで入口と弁室と出口を形成し、弁室の下部に弁座部材を取り付け、弁座部材に弁室を出口側に連通する排出通路を形成し、弁室内に弁座部材に離着座して排出通路を開閉するフロートを配置し、先端側を排出通路内に後端側をケーシングの外部に位置させた操作部材に操作部材を外部から回転進退せしめる操作部を設け、操作部材外周のケーシング外周に形成した雄ねじ部にねじ結合できる雌ねじ部を一端に有し前記ケーシング外周の雄ねじ部を覆うことのできる収容部を他端に有し前記収容部が前記ケーシング外周の雄ねじ部を覆ったときに操作部に連結して操作部材を回転進退せしめる連結部を一端と他端の間に有する概略筒状部材を設けたことを特徴とするフロート式ドレントラップ。
【発明の詳細な説明】
【技術分野】
【０００１】
本発明は、蒸気や圧縮空気やガス配管系に発生するドレンをフロートの浮上降下によって自動的に排出するフロート式ドレントラップに関し、特にフロートが離着座する弁座部材の排出通路に付着した流体中の異物を掃除できるものに関する。
【背景技術】
【０００２】
従来のフロート式ドレントラップは、例えば特許文献１に開示されている。これは、弁ケーシングで入口と弁室と出口を形成し、弁室の下部に弁座部材を取り付け、弁座部材に弁室を出口側に連通する排出通路を形成し、弁室内に弁座部材に離着座して排出通路を開閉するフロートを配置し、先端側を排出通路内に後端側をケーシングの外部に位置させた操作部材に操作部材を外部から回転進退操作せしめる操作部を設け、操作部に連結して操作部材を外部から回転進退操作せしめる連結部を奥壁に有する断面概略凹状部材を設けたものである。
【先行技術文献】
【特許文献】
【０００３】
【特許文献１】特開２００７−３０３６３０号公報
【発明の概要】
【発明が解決しようとする課題】
【０００４】
上記従来のフロート式ドレントラップは、断面概略凹状部材を回転させて操作部材を回転前進させることにより操作部材の先端側で排出通路の先端部の内面に付着した異物を掃除するものであるが、人や物の接触により断面概略凹状部材が回転して操作部材が不用意に回転前進する危険があった。
【０００５】
したがって本発明が解決しようとする課題は、操作部材が不用意に回転前進することを防止できるフロート式ドレントラップを提供することである。
【課題を解決するための手段】
【０００６】
上記の課題を解決するために、本発明のフロート式ドレントラップは、弁ケーシングで入口と弁室と出口を形成し、弁室の下部に弁座部材を取り付け、弁座部材に弁室を出口側に連通する排出通路を形成し、弁室内に弁座部材に離着座して排出通路を開閉するフロートを配置し、先端側を排出通路内に後端側をケーシングの外部に位置させた操作部材に操作部材を外部から回転進退せしめる操作部を設け、操作部材外周のケーシング外周に形成した雄ねじ部にねじ結合できる雌ねじ部を一端に有し前記ケーシング外周の雄ねじ部を覆うことのできる収容部を他端に有し前記収容部が前記ケーシング外周の雄ねじ部を覆ったときに操作部に連結して操作部材を回転進退せしめる連結部を一端と他端の間に有する概略筒状部材を設けたことを特徴とするものである。
【発明の効果】
【０００７】
本発明によれば、ケーシング外周の雄ねじ部を概略筒状部材の収容部で覆い連結部を操作部に連結して操作部材を回転前進せしめるにより排出通路に付着した流体中の異物を掃除する。そして、操作部材を回転後退せしめた後、ケーシング外周の雄ねじ部に概略筒状部材の雌ねじ部をねじ結合することにより、操作部材が不用意に回転前進することを防止できるという優れた効果を生じる。
【図面の簡単な説明】
【０００８】
【図１】本発明の実施の形態に係わるフロート式ドレントラップの断面図である。
【図２】図１の概略筒状部材でプラグを操作する状態を示す断面図である。
【発明を実施するための形態】
【０００９】
以下、本発明の実施の形態について、図１を参照して説明する。本体１に蓋２をボルト３で締結して弁ケーシングを形成し、内部に弁室４を形成する。本体１は入口５と出口通路６と出口７を有し、入口５は弁室４の上部に連通する。入口５と出口７は同一軸上に形成する。弁室４の下部の蓋２に排出通路８を開けた弁座部材９をねじ結合する。排出通路８は弁室４側端の小径の先端部８ａと、先端部８ａの下流の下流に向かって径の拡がったテーパー部８ｂと、テーパー部８ｂの下流の大径の後端部８ｃから成る。蓋２は出口通路１０を有し、弁室４の下部は排出通路８から出口通路１０，６を介して出口７に連通する。弁室４内に弁座部材９の弁室側端面９ａに離着座して排出通路８を開閉する中空球形のフロート１１を自由状態で配置する。フロート１１が排出通路８を閉じた位置で当接するフロート座１２をフロート１１の下方に、図面の手前側と向う側に２つ設ける。
【００１０】
蓋２に弁座部材９と同一軸上に外部から回転進退調節可能に操作部としてのプラグ１３をねじ結合する。プラグ１３を貫通して弁座部材９と同一軸上に操作部材１４を連結部材としてのＵナット１５でプラグ１３に固定する。操作部材１４は排出通路８の先端部８ａの下流に位置する先端部１４ａが回転前進により弁室４内に突出し、後端部が外部に位置する。操作部材１４の先端部１４ａの外径は排出通路８の先端部８ａの内径よりも僅かに小径に形成し、操作部材１４を回転前進させたときに操作部材１４の先端部１４ａで排出通路８の先端部８ａ内面を掃除する。操作部材１４の中間部にフランジ状の弁部材１６を一体に形成する。操作部材１４の弁部材１６よりも後端側に径方向に貫通する横孔と横孔から連通し後端に向けて軸方向に貫通する縦孔から成るブロー通路１７を設ける。操作部材１４の外周に概略筒状部材１８を配置する。概略筒状部材１８は操作部材１４外周の蓋２外周に形成した雄ねじ部２ａにねじ結合できる雌ねじ部１８aを一端に有し蓋２外周の雄ねじ部２aを覆うことのできる収容部１８ｂを他端に有し収容部１８ｂが蓋２外周の雄ねじ部２aを覆ったときにプラグ１３の例えば六角部からなる被連結部１３ａに連結して操作部材１４を回転進退せしめる例えば六角孔からなる連結部１８ｃを一端と他端の間に有する。弁部材１６は弁座部材９の後端９ｂに離着座して排出通路８を最前進したときに閉じ後退したときに開けると共に、蓋２の内向きフランジ２ｂに離着座して後退する過程で操作部材１４の弁部材１６よりも後端側の外周に侵入した異物を含む流体をブロー通路１７を通して出口７とは別の外気にブローし最後退したときにブロー通路１７を閉じる。
【００１１】
通常は、図１に示すように、概略筒状部材１８の雌ねじ部１８aを蓋２の雄ねじ部２ａにねじ結合して使用する。入口５から流入したドレンは弁室４内に溜り、液面に応じてフロート１１が浮上降下して弁座部材９に離着座して排出通路８を開閉する。排出通路８が開けられると弁室４内のドレンが排出通路８、出口通路６，１０を通して出口７に排出され、排出通路８が閉じられると弁室４内の気体の漏出が防止される。
【００１２】
弁座部材９の排出通路８の先端部８ａ内面に付着した異物を掃除する場合、図２に示すように、概略筒状部材１８を反対向きにして、蓋２の雄ねじ部２ａを概略筒状部材１８の収容部１８ｂで覆い連結部１８ｃをプラグ１３の被連結部１３ａに連結して、プラグ１３をねじ込んで操作部材１４の弁部材１６が弁座部材９の後端に着座して排出通路８を閉じる位置まで回転前進させる。これにより、操作部材１４の先端部１４ａで弁座部材９の排出通路８の先端部８ａ内面を掃除する。そして、弁室４内の液面を上昇させた後プラグ１３をねじ戻して操作部材１４を回転後退させて排出通路８を開けることにより、操作部材１４の弁部材１６よりも後端側の外周に侵入した異物を含む流体をブロー通路１７を通して出口７とは別の外気にブローする。その後、更にプラグ１３をねじ戻して操作部材１４を回転最後退させ、ブロー通路１７を閉じる。そして、概略筒状部材１８の雌ねじ部１８aを蓋２の雄ねじ部２ａにねじ結合する。
【産業上の利用可能性】
【００１３】
本発明は、蒸気や圧縮空気やガス配管系に発生するドレンを自動的に排出するフロート式ドレントラップに利用することができる。
【符号の説明】
【００１４】
１  本体
２  蓋
２ａ  雄ねじ部
２ｂ  蓋の内向きフランジ
４  弁室
５  入口
６，１０  出口通路
７  出口
８  排出通路
８ａ  排出通路の先端部
９  弁座部材
９ａ  弁座部材の弁室側端面
９ｂ  弁座部材の後端
１１  フロート
１３  プラグ
１３ａ  被連結部
１４  操作部材
１４ａ  操作部材の先端部
１５  Ｕナット
１６  弁部材
１７  ブロー通路
１８  概略筒状部材
１８ａ  雌ねじ部
１８ｂ  収容部
１８ｃ  連結部
【図１】
2014047906.tif 000003
【図２】
2014047906.tif 000004